(57)【特許請求の範囲】
【請求項１】
平板状の底部と、
前記底部と共に箱状の収容部を形成する側面部と、を有し、
前記底部の周縁にあらわれる断面は、水分の浸入を防止する不溶性の封止材によって封止されており、
前記側面部は、前記底部の周縁にあらわれる断面との間に介在させた接着剤または前記封止材により、前記底部に接着し、
木質性素材からなる、
食品用容器。
【請求項２】
前記底部は円形状からなり、
前記側面部は、環状からなる、
請求項１記載の食品用容器。
【請求項３】
前記側面部は、一端に第一の係合部が形成され、他端に第二の係合部が形成された帯状体を係合させてなる、
請求項１又は２記載の食品用容器。
【請求項４】
前記第一の係合部と前記第二の係合部が係合する箇所を接着剤により接着させている、
請求項３記載の食品用容器。
【請求項５】
前記側面部は、前記底部と対向する向きに拡径するテーパーがつけられており、
互いに接着された前記側面部と前記底部の周縁にあらわれる断面との間に形成される略Ｖ字状の隙間に接着剤が充てんされている、
請求項１乃至４いずれかの項に記載の食品用容器。
【請求項６】
前記側面部は、前記底部よりも下方に突出し、突出した部分が脚部を構成する、
請求項１乃至５いずれかの項に記載の容器。
【請求項７】
前記側面部は、前記木質性素材の繊維方向が前記底部に対して平行となるように前記底部に接着している、
請求項１乃至６いずれかの項に記載の食品用容器。
【発明の詳細な説明】
【技術分野】
【０００１】
本発明は、食品等を収納するのに好適な容器に関する。
【背景技術】
【０００２】
従来、特許文献１や特許文献２に示されるように、組み立て型の容器が提供されている。
組み立て型の容器は、使用するまではコンパクトにまとめておけるので、運搬や在庫管理等において嵩張ることがなく便利である。
【先行技術文献】
【特許文献】
【０００３】
【特許文献１】特開２０１１−１１６４５５号公報
【特許文献２】実用新案登録第３１３３８３５号
【発明の概要】
【発明が解決しようとする課題】
【０００４】
しかしながら、容器に食品を入れる場合、多くの食品は水分や油分を含んでいるため、部材の接合部分から水分や油分が容器外へ染み出しやすい。そのため、内容物に含まれる水分や油分が容器外へ染み出したり、漏れたりするのを防ぐことのできる容器が求められている。
【０００５】
そこで、本発明は、耐久性に優れた組み立て型の容器を提供することを目的とする。
【課題を解決するための手段】
【０００６】
本発明に係る容器は、底部と、前記底部と共に箱状の収容部を形成する側面部と、を有し、前記底部の周縁にあらわれる断面は、水分の浸入を防止する不溶性の封止材によって封止されており、前記側面部は、前記底部の周縁との間に介在させた接着剤または前記封止材により、前記底部に接着している。
【０００７】
また、前記底部は円形状からなり、前記側面部は、環状からなるものとしてもよい。
【０００８】
また、前記側面部は、一端に第一の係合部が形成され、他端に第二の係合部が形成された帯状体を係合させてなるものとしてもよい。
【０００９】
また、前記第一の係合部と前記第二の係合部が係合する箇所を接着剤により接着させているものとしてもよい。
【００１０】
また、前記側面部は、前記底部と対向する向きに拡径するテーパーがつけられているものとしてもよい。
【００１１】
また、木質性素材からなるものとしてもよい。
【００１２】
前記側面部は、前記木質性素材の繊維方向が前記底部に対して平行となるように前記底部に接着しているものとしてもよい。
【発明の効果】
【００１３】
本発明に係る容器によれば、水分や油分を含む食品等を収容する場合にも、食品等の水分や油分が容器外に染み出したり漏れたりすることがなく、耐久性に優れている。
【図面の簡単な説明】
【００１４】
【図１】本発明の第一の実施形態に係る容器を示した外観斜視図である。
【図２】本発明の第一の実施形態に係る容器を示した分解斜視図である。
【図３】本発明の第一の実施形態に係る容器の接合部を模式的に示した部分拡大図である。
【図４】本発明の第一の実施形態に係る容器に蓋を被せてスタックさせた状態を示した断面図である。
【図５】本発明の第一の実施形態に係る容器を示した分解斜視図である。
【図６】本発明の第二の実施形態に係る容器をスタックさせた状態を示した外観斜視図である。
【図７】本発明の第二の実施形態に係る容器の接合部を模式的に示した部分拡大図である。
【図８】本発明の第三の実施形態に係る容器を示した分解斜視図である。
【発明を実施するための形態】
【実施例１】
【００１５】
以下、本発明の実施形態に係る容器について図を参照して説明する。
本発明の第一の実施形態に係る容器１は、図１及び図２に示されるように、互いに接着された底部１１と側面部１２によって構成される。底部１１と側面部１２は、上方が開口した凹状の収容部１ａを構成し、当該収容部１ａには、食品等の内容物が収容される。
【００１６】
底部１１は、円形状の底板であり、側面部１２と共に箱状の収容部１ａを形成する。
この底部１１は少なくとも、収容部１ａに収容される食品等の内容物の重みに耐え得る厚みを有している。
また、底部１１は、一枚の平板状の底板によって構成されていてもよいし、複数枚の底板を積層させたものであってもよい。
【００１７】
側面部１２は、底部１１と共に箱状の収容部１ａを形成する。
この側面部１２は、一端に第一の係合部として係合凸部１２１が形成され、他端に第二の係合部として係合凹部１２２が形成された帯状体である。全体を撓ませながら、係合凸部１２１と係合凹部１２２を係合させることにより、側面部１２は環状あるいは筒状に構成される。
【００１８】
後述のとおり、側面部１２は例えば木質性素材からなり、可撓性を有している。これにより、係合凸部１２１と係合凹部１２２とを係合させていない状態においては、平たい帯状の部材として保管しておくことができる。一方、組み立てて使用する場合には、全体を撓ませて、係合凸部１２１と係合凹部１２２が係合するように環状にすることができる。
【００１９】
環状に構成された側面部１２によって上下端に形成される円形の開口部のうち、少なくとも底部１１が取り付けられる側の開口部は、底部１１の径と同じ径を有している。これにより、側面部１２の一端側の開口部は底部１１によって隙間なく閉止される。
【００２０】
なお、係合凸部１２１と係合凹部１２２の係合の形状は特に限られず、他の形状によるものであってもよい。
また、係合凸部１２１と係合凹部１２２の係合箇所は、接着剤により接着してもよく、これにより、係合箇所から水分等が染み出したり、漏れ出したりするのを防ぐことができる。
【００２１】
側面部１２は、図３（ａ）に示されるように、底部１１よりも僅かに下方に突出し、突出した部分は脚部１２３を構成している。本実施形態ではさらに、脚部１２３を補強するための補強片１２３１が内側から接着している。
このような脚部１２３が設けられている結果、容器１をテーブル等の載台に載置させた際、脚部１２３が載台に当接し、底部１１は載台に当接しない。
【００２２】
また、このような脚部１２３は、図４に示されるような蓋１３を容器１に被せて用いる場合に好適である。即ち、脚部１２３の内側には、円形状の嵌合凹部１ｂが形成される。一方、蓋１３の上方には、円形状の嵌合凹部１ｂの形状に即して、上方に突出した嵌合凸部１３ａが設けられている。容器１にこの蓋１３を被せた状態で複数の容器１を積み重ねると、嵌合凹部１ｂに嵌合凸部１３ａが嵌合する。その結果、容器１を積み重ねた状態では、積み重ねられている容器１が横に滑り落ちたりせず、積み重ねた状態で持ち運んだり、保管しておいたりするときに崩れずに便利である。
【００２３】
容器１は、各種の材料によって構成することができるが、本実施形態では、底部１１、側面部１２は共に木質性素材によって構成される。
木質性素材によって構成することで、肉薄の側面部１２は可撓性を有し、環状に撓ませて、係合凸部１２１と係合凹部１２２を係合させることができる。また、容器１を手に取った者に対し、環境にやさしく、柔らかい雰囲気を与えることができる。
【００２４】
他方、木質性素材によって構成した場合、木質性素材の繊維方向の断面からは、水分が浸入しやすい。即ち、底部１１の周縁１１ａからは水分が浸入しやすい。
そこで、図３（ａ）に示すように、底部１１の周縁１１ａにあらわれる断面は、水に溶けない不溶性あるいは撥水性の封止材Ｓによって封止されている。このような封止材Ｓには例えば、アクリル樹脂などを用いることができる。このように、木質素材の断面を封止することで、底部１１に内容物たる食品の水分や油分等が染み込むのを効果的に防ぐことができる。
【００２５】
なお、図３（ａ）の例にかかわらず、側面部１２の幅方向にあらわれる断面についても、封止材Ｓで封止してもよい。
【００２６】
また、側面部１２は、木質性素材の繊維方向が底部１１に対して平行となるよう設けるとよい。本実施形態であれば、側面部１２の長さ方向と木質性素材の繊維方向を一致させる。
これにより、食品等の内容物に含まれる水分等が、繊維方向に沿って底部１１と側面部１２の接合箇所に染みわたるのを防ぎ、耐久性を担保することができる。
【００２７】
図３（ａ）に示されるように、側面部１２は、その内周面１２ａと底部１１の周縁１１ａ、即ち底部１１の厚み部分との間に介在する接着剤Ｂにより、底部１１に接着している。底部１１と側面部１２が互いに接着した状態において、側面部１２は、底部１１に対して略直角に立設した状態にある。接着箇所は、側面部１２の内周面１２ａのうち、一端側開口部に偏った位置であり、これにより収容部１ａが形成される。
【００２８】
なお、底部１１の周縁１１ａは封止材Ｓによって封止されており、接着剤Ｂはこの封止材Ｓに接着している。ただし、アクリル樹脂などの封止材Ｓそのものも接着性を有していることから、封止材Ｓとは別に接着剤Ｂを用いることなく、封止材Ｓによって、底部１１の周縁１１ａを封止すると共に、底部１１と側面部１２とを接着することもできる。また、接着剤Ｂについても、封止材Ｓと同様、撥水性又は不溶性の材料からなるものを用いるのが好適である。
【００２９】
また、図３（ａ）の例では、側面部１２の内周面１２ａのうち、幅方向の端部よりも僅かに内側の部分に底部１１の周縁１１ａを接着させ、脚部１２３を設けているが、脚部１２３を設けない場合には、図３（ｂ）に示されるように、側面部１２の内周面１２ａのうち、幅方向の端部に底部１１の周縁１１ａを接着させることもできる。
【００３０】
側面部１２と底部１１を接着させる場合には例えば、予め封止材Ｓによって周縁１１ａを封止した底部１１の周縁１１ａに接着剤を塗布しておく。そして、係合凸部１２１と係合凹部１２２を係合させていない状態の側面部１２を、底部１１の周縁１１ａに巻きつけるようにして側面部１２の内周面１２ａに接着させ、係合凸部１２１と係合凹部１２２を係合させる。なお、側面部１２を底部１１の周縁１１ａに巻きつけるようにして接着させる場合には、側面部１２の内周面１２ａのうち、一端開口部に偏った位置に底部１１が接着するようにし、収容部１ａを形成させる。
【００３１】
接着剤の種類は特に限定されないが、内容物たる食品等に影響を及ぼすことのないものを用いるのが好ましい。
【００３２】
このような本実施形態に係る容器１によれば、水分や油分を含む食品等を収容部１ａに収容する場合にも、食品等の水分や油分が容器外に染み出したり漏れたりすることがなく、耐久性に優れている。特に、食品等の内容物の水分等は、底部１１と側面部１２の接合箇所から染み出したりしやすいが、底部１１の周縁１１ａと側面部１２の内周面１２ａの間が接着剤により接着されている結果、水分が溜まって染み出しやすくなることもなく、高い耐久性を発揮する。
【００３３】
なお、底部１１や側面部１２の表面、特に内容物に触れる面には、肉薄の防水性を備えたフィルムあるいはシートをラミネートしておいてもよい。これにより、底部１１や側面部１２の表面から水分や油分が浸透するのを防ぐことができる。
【実施例２】
【００３４】
図５及び図６は、本発明の第二の実施形態に係る容器２を示している。
容器２も容器１と同様、底部２１と側面部２２によって構成され、互いに接着された底部２１と側面部２２は、内容物を収容するための収容部２ａを形成している。なお、容器２にも、補強片２２３１によって補強された脚部２２３を有する点、側面部２２が係合凸部２２１と係合凹部２２２によって係合している点、さらには木質性素材からなる点など、容器１と同様の構成を有している。
本実施形態において、側面部２２には、底部２１と対向する向きに拡径するテーパーがつけられている。即ち、両端が開口した側面部２２は、底部１１が取り付けられる側の開口部の径よりも、その反対側の開口部の径のほうが大きい。
【００３５】
これにより、一の容器２の収容部２ａに他の容器２を収容させるようにして複数の容器２をスタックさせることができる。その結果、底部２１と側面部２２を接着させて容器２を組み立ててしまっているときでも、容器２を在庫として保管したり、運搬等したりするときに嵩張らない。
【００３６】
なお、図７に示されるように、容器２においても、底部２１の周縁２１ａは封止材Ｓに封止されており、側面部２２は、底部２１の周縁２１ａにその内周面２２ａを接着させている。
ここで、容器２の側面部２２にテーパーがつけられている結果、一定の厚みを有する側面部２２と底部２１の間には、略Ｖ字状の溝部Ｇが形成される。ここで、本実施形態においては、少なくともこの溝部Ｇに接着剤Ｂを充てんするように塗布し、底部２１と側面部２２を接着すると共に、溝部Ｇを埋め、底部２１と側面部２２の接合箇所に、水分や油分等が貯まりやすい窪みが残るのを避ける。これにより、側面部２２にテーパーをつけた容器２においても、底部２１の断面があらわれる、底部２１と側面部２２の接合箇所からの水分等が染み出したり、漏れ出したりするのを防ぐことができる。
【００３７】
なお、この実施例２に係る容器２についても、容器２の形状に即して、上述した実施例１の蓋１３と同様の蓋を設けることができる。また、底部２１や側面部２２の表面を防水性のシートやフィルムでラミネートしてもよい。
【実施例３】
【００３８】
上記した本実施形態に係る容器１、２は、底部１１、２１が円形からなり、容器１、２自体も一端側が閉止した略筒状のものであったが、他の実施形態においては、底部を矩形状、楕円形状、多角形状などの形状に構成することもできる。
一例として、図８は矩形状からなる底部３１を備えた容器３を示している。
この容器３は、矩形状の底部３１、矩形の枠状の側面部３２によって構成されている。
【００３９】
側面部３２は、一端に第一の係合部として係合凸部３２１が形成され、他端に第二の係合部として係合凹部３２２が形成された帯状体である。底部３１の形状に合わせて適宜の箇所で折曲させると共に、係合凸部３２１と係合凹部３２２を係合させることにより、側面部３２は矩形の枠状に構成される。
【００４０】
この側面部３２は、底部３１の周縁３１ａ、即ち、底部３１の厚み部分との間に介在する接着剤により、底部３１に接着している。接着箇所は、側面部３２の内周面３２ａのうち、一端側開口部に偏った位置であり、これにより内容物を収容可能な収容部が形成される。
【００４１】
なお、この容器３についても、容器１と同様に木質性素材で構成することができる。また、係合凸部３２１と係合凹部３２２の係合箇所は、接着剤により接着してもよい。また、テーパーをつけてスタッキング可能としたり、容器３の形状に即した、蓋１３と同様の蓋を用いたりすることもできる。また、底部３１や側面部３２の表面を防水性のシートやフィルムでラミネートしてもよい。
【符号の説明】
【００４２】
１          容器
１１      底部
１１ａ  周縁
１２      側面部
１２ａ  内周面
１２１  係合凸部
１２２  係合凹部
１２３  脚部
２          容器
２１      底部
２１ａ    周縁
２２      側面部
２２１  係合凸部
２２２  係合凹部
２２３  脚部
３          容器
３１      底面部
３１ａ  周縁
３２      側面部
３２ａ  内周面
３２１  係合凸部
３２２  係合凹部
Ｂ          接着剤
Ｓ          封止材
Ｇ          溝部
【要約】
【課題】耐久性に優れた組み立て型の容器を提供する。
【解決手段】容器１は、底部１１と、底部１１と共に箱状の収容部１ａを形成する側面部１２と、を有しており、底部１１の周縁１１ａにあらわれる断面は、水分の浸入を防止する不溶性の封止材によって封止されており、側面部１２は、底部１１の周縁１１ａとの間に介在させた接着剤又は封止材により、底部１１に接着している。また、底部１１は円形状からなり、側面部は環状からなる。また、側面部１２は、一端に係合凸部１２１が形成され、他端に係合凹部１２２が形成された帯状体を係合させてなる。
【選択図】図２【図１】
0006978806.tif 000002
【図２】
0006978806.tif 000003
【図３】
0006978806.tif 000004
【図４】
0006978806.tif 000005
【図５】
0006978806.tif 000006
【図６】
0006978806.tif 000007
【図７】
0006978806.tif 000008
【図８】
0006978806.tif 000009